(57)【要約】【課題】  各種店舗や施設等の衛生状況に応じて、当該施設等で働く従業員等に的確な情報を配信し、当該従業員等の衛生に対する意識と認識を高める。【解決手段】  ユーザ端末とネットワークを介して通信可能に構成された装置であって、上記衛生状況に応じた衛生情報を記憶する衛生情報記憶手段と、上記施設における所定の検査箇所ごとに、予め設定された基準値を所定の項目ごとに分類して記憶する基準値記憶手段と、上記施設における所定の検査箇所ごとに測定された上記項目ごとの測定値に基づき、上記基準値記憶手段を参照して、当該測定値が上記基準値を超える項目を特定する手段と、上記衛生情報記憶手段を参照して、上記特定した項目をキーワードとして含む衛生情報を検索し、検索の結果発見した衛生情報を抽出する手段と、上記抽出した衛生情報を、上記ユーザ端末に対して送信する手段とを有することを特徴とする情報配信装置。【選択図】図１
2008059508.tif 000002
【特許請求の範囲】
【請求項１】
所定の施設に従事するユーザが利用するユーザ端末とネットワークを介して通信可能に構成され、上記ユーザ端末に対して、上記施設の衛生状況に応じた衛生情報を配信して、上記ユーザの教育を行う装置であって、
上記衛生状況に応じた衛生情報を記憶する衛生情報記憶手段と、
上記施設における所定の検査箇所ごとに、予め設定された基準値を所定の項目ごとに分類して記憶する基準値記憶手段と、
上記施設における所定の検査箇所ごとに測定された上記項目ごとの測定値に基づき、上記基準値記憶手段を参照して、当該測定値が上記基準値を超える項目を特定する項目特定手段と、
上記衛生情報記憶手段を参照して、上記特定した項目をキーワードとして含む衛生情報を検索し、検索の結果発見した衛生情報を抽出する衛生情報検索手段と、
上記抽出した衛生情報を、上記ユーザ端末に対して送信する衛生情報配信手段と、を有する、
ことを特徴とする情報配信装置。
【請求項２】
上記ユーザ端末から、当該ユーザ端末に対して送信した問題に対する回答を受信する回答受信手段と、
上記受信した回答を、上記衛生情報記憶手段を参照して、当該回答に係る問題と関連付けて記憶されている解答と照合する照合手段と、を有し、
上記衛生情報記憶手段は、問題と、当該問題に対する解答とを関連付けて記憶し、
上記衛生情報検索手段は、上記衛生情報記憶手段を参照して、上記特定した項目をキーワードとして含む問題を検索し、検索の結果発見した問題を抽出し、
上記衛生情報配信手段は、上記抽出した問題を、上記ユーザ端末に対して送信する、
請求項１記載の情報配信装置。
【請求項３】
上記施設における所定の検査箇所ごとに、上記項目ごとの測定値を測定する測定装置とネットワークを介して通信可能に構成され、
上記測定装置から、上記施設における所定の検査箇所ごとに測定された上記項目ごとの測定値を受信する測定値受信手段、を有する、
請求項１又は２記載の情報配信装置。
【請求項４】
所定の施設に従事するユーザが利用するユーザ端末とネットワークを介して通信可能に構成され、上記衛生状況に応じた衛生情報を記憶する衛生情報記憶手段と、上記施設における所定の検査箇所ごとに、予め設定された基準値を所定の項目ごとに分類して記憶する基準値記憶手段とを有するコンピュータにより、上記ユーザ端末に対して、上記施設の衛生状況に応じた衛生情報を配信して、上記ユーザの教育を行う方法であって、
上記施設における所定の検査箇所ごとに測定された上記項目ごとの測定値に基づき、上記基準値記憶手段を参照して、当該測定値が上記基準値を超える項目を特定する処理と、
上記衛生情報記憶手段を参照して、上記特定した項目をキーワードとして含む衛生情報を検索し、検索の結果発見した衛生情報を抽出する処理と、
上記抽出した衛生情報を、上記ユーザ端末に対して送信する処理と、
を行うことを特徴とする情報配信方法。
【請求項５】
所定の施設に従事するユーザが利用するユーザ端末とネットワークを介して通信可能に構成され、上記衛生状況に応じた衛生情報を記憶する衛生情報記憶手段と、上記施設における所定の検査箇所ごとに、予め設定された基準値を所定の項目ごとに分類して記憶する基準値記憶手段とを有するコンピュータを、上記ユーザ端末に対して、上記施設の衛生状況に応じた衛生情報を配信して、上記ユーザの教育を行う情報配信装置として機能させるためのコンピュータプログラムであって、
上記コンピュータに対して、
上記施設における所定の検査箇所ごとに測定された上記項目ごとの測定値に基づき、上記基準値記憶手段を参照して、当該測定値が上記基準値を超える項目を特定する処理と、
上記衛生情報記憶手段を参照して、上記特定した項目をキーワードとして含む衛生情報を検索し、検索の結果発見した衛生情報を抽出する処理と、
上記抽出した衛生情報を、上記ユーザ端末に対して送信する処理と、
を実行させるコンピュータプログラム。
【発明の詳細な説明】
【技術分野】
【０００１】
本発明は、ネットワークを介して、ユーザの施設の衛生状態に応じた衛生情報を配信することにより、ユーザの衛生に対する意識と認識を高めることができる技術に関する。
【背景技術】
【０００２】
広範な地域にわたって、例えば全国に散在するチェーン店を運営する事業者、各地に設けられた病院等の施設の運営者は、当該店舗や施設の衛生管理をする上で、その従業員や責任者を教育する必要がある。
【０００３】
しかしながら、店舗や施設が広範な地域にわたって存在する場合には、いちいち従業員や責任者を一同に集めて教育や研修を行うことは、当該店舗あるいは施設の働き手が当該教育ないしは研修期間中いなくなるため、店舗や施設の管理、運営上、更には人件費やコストの面で困難であった。また、教育や研修を行える者を各店舗や施設に随時派遣するのも、同様に、人件費やコストの面から困難なことが多かった。
【０００４】
そこで、ネットワークを介して、クライアントに教育や試験を実施するシステムが提案されている。このようなシステムの一例として、ネットワークで接続されたクライアントに対して問題を送信すると共に、上記クライアントにて入力された上記問題に対応する解答を判定する教育システムにおいて、上記クライアントを利用するユーザを認証する認証手段と、上記認証手段にて認証されたユーザに対応する問題を出題する出題手段と、上記ユーザに出題した問題に対する解答を判定する判定手段と、上記判定手段が判定した判定結果を記録する判定結果記憶手段とを備えることを特徴とする教育システムサーバが提案されている（特許文献１参照）。
【０００５】
【特許文献１】特開２００５−１０７３７８号公報
【特許文献２】特開２００２−１５００７号公報
【０００６】
また、店舗等の施設の衛生状態を管理するシステムとして、複数の食品工場を登録し、食品工場から得た衛生情報を管理して有効利用するシステムであって、衛生情報管理サーバと、測定機器とを備え、測定機器は、各食品工場において衛生検査を行い、検査結果であるデータ（衛生情報）を衛生情報管理サーバに送るものが提案されている（特許文献２参照）。
【発明の開示】
【発明が解決しようとする課題】
【０００７】
上記特許文献１記載の技術によれば、確かに、離れた場所にいるクライアント相手に対しても、無用な人件費やコストをかけることなく、教育や試験を行うことができ、クライアントの数が多くても対応できる。
しかしながら、ただ問題をクライアントに送信し、採点等するだけでは、教育効果が低いし、各店舗や施設の衛生状況に応じて、的確な教育等を従業員等に施すことができなかった。
また、上記特許文献２記載の技術では、衛生情報を集約させることができるが、当該衛生情報が有効に利用し、施設等の衛生状態の改善等に役立てる技術は示されていない。
【０００８】
そこで、本発明は、各種店舗や施設等の衛生状況に応じて、当該施設等で働く従業員等に的確な情報を配信し、当該従業員等の衛生に対する意識と認識を高めることを目的とする。
【課題を解決するための手段】
【０００９】
そこで、上記目的を達成するため、本発明の一の観点に係る情報配信装置は、所定の施設に従事するユーザが利用するユーザ端末とネットワークを介して通信可能に構成され、上記ユーザ端末に対して、上記施設の衛生状況に応じた衛生情報を配信して、上記ユーザの教育を行う装置であって、上記衛生状況に応じた衛生情報を記憶する衛生情報記憶手段と、上記施設における所定の検査箇所ごとに、予め設定された基準値を所定の項目ごとに分類して記憶する基準値記憶手段と、上記施設における所定の検査箇所ごとに測定された上記項目ごとの測定値に基づき、上記基準値記憶手段を参照して、当該測定値が上記基準値を超える項目を特定する項目特定手段と、上記衛生情報記憶手段を参照して、上記特定した項目をキーワードとして含む衛生情報を検索し、検索の結果発見した衛生情報を抽出する衛生情報検索手段と、上記抽出した衛生情報を、上記ユーザ端末に対して送信する衛生情報配信手段とを有することを特徴とする。
【００１０】
また、上記ユーザ端末から、当該ユーザ端末に対して送信した問題に対する回答を受信する回答受信手段と、上記受信した回答を、上記衛生情報記憶手段を参照して、当該回答に係る問題と関連付けて記憶されている解答と照合する照合手段と、を有し、上記衛生情報記憶手段は、問題と、当該問題に対する解答とを関連付けて記憶し、上記衛生情報検索手段は、上記衛生情報記憶手段を参照して、上記特定した項目をキーワードとして含む問題を検索し、検索の結果発見した問題を抽出し、上記衛生情報配信手段は、上記抽出した問題を、上記ユーザ端末に対して送信するものとしてもよい。
【００１１】
また、上記施設における所定の検査箇所ごとに、上記項目ごとの測定値を測定する測定装置とネットワークを介して通信可能に構成され、上記測定装置から、上記施設における所定の検査箇所ごとに測定された上記項目ごとの測定値を受信する測定値受信手段、を有するものとしてもよい。
【００１２】
また、本発明の別の観点に係る情報配信方法は、所定の施設に従事するユーザが利用するユーザ端末とネットワークを介して通信可能に構成され、上記衛生状況に応じた衛生情報を記憶する衛生情報記憶手段と、上記施設における所定の検査箇所ごとに、予め設定された基準値を所定の項目ごとに分類して記憶する基準値記憶手段とを有するコンピュータにより、上記ユーザ端末に対して、上記施設の衛生状況に応じた衛生情報を配信して、上記ユーザの教育を行う方法であって、上記施設における所定の検査箇所ごとに測定された上記項目ごとの測定値に基づき、上記基準値記憶手段を参照して、当該測定値が上記基準値を超える項目を特定する処理と、上記衛生情報記憶手段を参照して、上記特定した項目をキーワードとして含む衛生情報を検索し、検索の結果発見した衛生情報を抽出する処理と、上記抽出した衛生情報を、上記ユーザ端末に対して送信する処理とを行うことを特徴とする。
【００１３】
また、本発明の更に別の観点に係るコンピュータプログラムは、所定の施設に従事するユーザが利用するユーザ端末とネットワークを介して通信可能に構成され、上記衛生状況に応じた衛生情報を記憶する衛生情報記憶手段と、上記施設における所定の検査箇所ごとに、予め設定された基準値を所定の項目ごとに分類して記憶する基準値記憶手段とを有するコンピュータを、上記ユーザ端末に対して、上記施設の衛生状況に応じた衛生情報を配信して、上記ユーザの教育を行う情報配信装置として機能させるためのコンピュータプログラムであって、上記コンピュータに対して、上記施設における所定の検査箇所ごとに測定された上記項目ごとの測定値に基づき、上記基準値記憶手段を参照して、当該測定値が上記基準値を超える項目を特定する処理と、上記衛生情報記憶手段を参照して、上記特定した項目をキーワードとして含む衛生情報を検索し、検索の結果発見した衛生情報を抽出する処理と、上記抽出した衛生情報を、上記ユーザ端末に対して送信する処理とを実行させる。
【発明の効果】
【００１４】
本発明によれば、各種店舗や施設等の衛生状況に応じて、当該施設等で働く従業員等に的確な情報を配信し、当該従業員等の衛生に対する意識と認識を高めることができる。
【発明を実施するための最良の形態】
【００１５】
次に、本発明の実施形態について、図を参照して説明する。
図１に示されるように、本実施形態に係るシステムの全体構成は、情報配信装置１、ユーザ端末２、測定装置３からなり、これらはインターネットを介して相互に通信可能に構成されている。
【００１６】
情報配信装置１は、本システムに係るサービスを提供する事業者の元に設置され、ＣＰＵ（Ｃｅｎｔｒａｌ  Ｐｒｏｃｅｓｓｉｎｇ  Ｕｎｉｔ）と、ＣＰＵが実行するコンピュータプログラムと、ＲＡＭ（Ｒａｎｄｏｍ  Ａｃｃｅｓｓ  Ｍｅｍｏｒｙ）などの内部メモリ及びハードディスクドライブなどの外部記憶装置などにより、衛生情報記憶部１１、基準値記憶部１２、項目特定処理部１３、検索処理部１４、通信処理部１５、ユーザ情報記憶部１６からなる機能ブロックを構成することができる。
【００１７】
衛生情報記憶部１１は、ユーザ端末２に対して配信される衛生情報を記憶することができる記憶部である。
この衛生情報記憶部１１には、例えば図２に示すように、施設内を衛生的に管理するために有用な衛生情報４１が複数、記憶されている。
【００１８】
基準値記憶部１２は、施設内が衛生的な状態にあるものとして許容される、温度や湿度等の項目の基準値を記憶する記憶部である。この基準値記憶部１２には、例えば図３に示すように、ユーザ名５１と、ユーザが従事等する施設内の検査箇所５２と、当該検査箇所における温度５３、湿度５４、生菌のコロニー数５５の基準値とが記憶されている。なお、生菌のコロニー数５５は、更に生菌の種類に応じた基準値が記憶されている。
この基準値は、例えば、本発明に係るサービスを提供する事業者等が設定することができる。
【００１９】
項目特定処理部１３は、所定の検査箇所ごとに測定された、温度等の項目ごとの測定値に基づき、基準値記憶部１２を参照して、当該測定値が基準値を超える項目を特定する処理を行う。
当該処理は、例えば図４に示すような、測定装置２から受信した検査箇所ごとの測定値と、基準値とを対比し、測定値が基準値を超える項目を特定する。図３及び図４の例では、検査箇所「食器」について、「ブドウ球菌」の項目が、基準値を超えていると特定される。
【００２０】
検索処理部１４は、項目特定処理部１３により、測定値が基準値を超えていると特定された項目をキーワードとして、衛生情報記憶部１１を参照し、当該キーワードを含む衛生情報を検索して、検索の結果発見した衛生情報を抽出する処理を行う。
図３及び図４の例において、項目特定処理部１３が、「ブドウ球菌」の項目が、基準値を超えていると特定した場合には、当該「ブドウ球菌」という語句をキーワードとして、衛生情報記憶部１１に記憶されている全衛生情報について、当該キーワードを含む衛生情報を検索する。また、当該検索処理は、例えば、テキストデータ等として記憶されている全衛生情報について、形態素解析を行うことによって、当該キーワードを含む衛生情報を検索し、当該検索の結果発見した衛生情報を衛生情報記憶部１１から抽出する。
【００２１】
通信処理部１５は、ユーザ端末２、測定装置３との間でインターネット等の通信回線を介して所定のプロトコルに従い、データの送受信処理を行う。
【００２２】
ユーザ情報記憶部１６は、ユーザ端末２を利用するユーザに関する情報を記憶する記憶部である。このユーザ情報記憶部１６には、例えば図５に示すように、各ユーザごとに、ユーザ名７１、ユーザ端末２のメールアドレス７２、ユーザが従事等する施設ごとに、当該施設を識別するために発行された所属施設ＩＤ７３が記憶されている。
【００２３】
ユーザ端末２は、本発明に係るシステムにおいて情報配信装置１から衛生情報の配信を受けるユーザが利用する端末である。このユーザは、例えば、飲食店や病院等の施設の従業者や責任者等である。そして、このユーザ端末２は、例えば、いわゆる携帯電話機、ＰＤＡ（Ｐｅｒｓｏｎａｌ  Ｄｉｇｉｔａｌ  Ａｓｓｉｓｔａｎｔｓ）端末、いわゆるパーソナルコンピュータ等で構成することができ、インターネットや携帯電話等の通信回線を介して、キーボード等からのデータの入力を行うための入力部２１、データをディスプレイやスピーカから出力するための出力部２２、インターネット通信を可能とするための所定のＷｅｂブラウザ等の通信処理部２３を有している。
【００２４】
測定装置３は、ユーザが従事等する施設内において、手洗い場やトイレなど、所定の検査箇所に取り付けられた装置であって、当該検査箇所における温度、湿度、生菌のコロニー数等の衛生状態を測定することができる。この測定装置３は、いわゆるデータロガーであって、ＣＰＵと、ＣＰＵが実行するコンピュータプログラムと、ＲＡＭなどの内部メモリ及びハードディスクドライブなどの外部記憶装置などにより、測定部３１、通信処理部３２からなる機能ブロックを構成することができる。
測定部３１は、所定の検査箇所における温度、湿度、生菌のコロニー数等の値を測定する処理を行う。この測定部３１は、２値化等によって生菌数を計測するコロニーカウンター、温度や湿度等を測定するセンサー等からなる。
通信処理部３２は、情報配信装置１との間でインターネット等の通信回線を介して所定のプロトコルに従い、データの送受信処理を行う。
【００２５】
続いて、測定装置３から所定の検査箇所における測定値を受信してから、ユーザ端末２に対して衛生情報を配信するまでの一連の処理の流れについて、図６を参照して説明する。
まず、測定装置３は、測定部３１により、所定の検査箇所について、温度等の所定の項目の値を測定する（Ｓ１０１）。
そして、測定が終了し測定値が出ると、通信処理部３２により、測定値３が設置されている施設の所属施設ＩＤと共に、当該測定値が情報配信装置１に対して送信される（Ｓ１０２）。
【００２６】
情報配信装置１は、通信処理部１５により、測定装置３から測定値を受信すると、基準値記憶部１２を参照して、当該測定値と基準値とを対比して、測定値が基準値を超える項目を特定する（Ｓ１０３）。
当該処理は、例えば、測定値と基準値とを対応する各項目ごとに対比し、その結果、検査箇所「食器」について、「ブドウ球菌」の生菌のコロニー数の項目の基準値が５００であるにもかかわらず、測定値が、それを超える６００であった場合には、「ブドウ球菌」の項目が基準値を超えていると特定される。
【００２７】
そして、検索処理部１４は、衛生情報記憶部１１を参照して、上記特定した項目をキーワードとして含む衛生情報を検索し、検索の結果発見した衛生情報を抽出する（Ｓ１０４）。
当該検索処理は、例えば、テキストデータ等として記憶されている全衛生情報について、形態素解析を行うことによって、上記の通り特定された項目である「ブドウ球菌」なる語句をキーワードとして含む衛生情報を検索し、当該検索の結果発見した衛生情報を衛生情報記憶部１１から抽出する。
こうして抽出された衛生情報は、ユーザ情報記憶部１６を参照して、上記測定装置３から受信した所属施設ＩＤと関連付けて記憶されているユーザのユーザ端末２に対して、通信処理部１５により送信される（Ｓ１０５）。
【００２８】
これにより、各種店舗や施設等の衛生状況に応じて、当該施設等で働く従業員等であるユーザに的確な情報を配信することができるので、当該ユーザの衛生に対する意識と認識を高めることができる。
【００２９】
次に、本発明の別の実施の形態について図７を参照して説明する。図７に示すように、本実施形態に係るシステムの全体構成は、情報配信装置８、ユーザ端末２、測定装置３からなり、これらはインターネットを介して相互に通信可能に構成されている。
【００３０】
情報配信装置８は、本システムに係るサービスを提供する事業者の元に設置され、ＣＰＵと、ＣＰＵが実行するコンピュータプログラムと、ＲＡＭ（などの内部メモリ及びハードディスクドライブなどの外部記憶装置などにより、衛生情報記憶部８１、基準値記憶部８２、項目特定処理部８３、検索処理部８４、通信処理部８５、ユーザ情報記憶部８６、照合処理部８７からなる機能ブロックを構成することができる。
なお、基準値記憶部８２は、項目特定処理部８３、通信処理部８５、ユーザ情報記憶部８６は、上述した実施形態における基準値記憶部１２、項目特定処理部１３、通信処理部１５、ユーザ情報記憶部１６に対応し、これらと同一の機能を有する。
【００３１】
衛生情報記憶部８１は、ユーザ端末２に対して配信される問題、解答等からなる衛生情報を記憶することができる記憶部である。
この衛生情報記憶部８１には、例えば図８に示すように、施設内を衛生的に管理するために有用な問題８２ごとに、当該問題を識別する問題ＩＤ８１、当該問題に対する解答８３、解説８４、当該問題が属する分類８５が記憶されている。
【００３２】
検索処理部８４は、項目特定処理部８３により、測定値が基準値を超えていると特定された項目をキーワードとして、衛生情報記憶部８１を参照し、当該キーワードを含む問題を検索して、検索の結果発見した問題と当該問題の問題ＩＤとを抽出する処理を行う。
【００３３】
照合処理部８７は、ユーザ端末２から受信した回答を、衛生情報記憶部８１に記憶されている解答と照合し、当該回答の正否を判断する処理を行う。
【００３４】
続いて、測定装置３から所定の検査箇所における測定値を受信してから、ユーザ端末２に対して問題を配信し、ユーザに当該問題についての成績を送信するまでの一連の処理の流れについて、図９を参照して説明する。
【００３５】
まず、測定装置３は、測定部３１により、所定の検査箇所について、温度等の所定の項目の値を測定する（Ｓ２０１）。
そして、測定が終了し測定値が出ると、通信処理部３２により、測定値３が設置されている施設の所属施設ＩＤと共に、当該測定値が情報配信装置１に対して送信される（Ｓ２０２）。
【００３６】
情報配信装置１は、通信処理部８５により、測定装置３から測定値を受信すると、基準値記憶部８２を参照して、当該測定値と基準値とを対比して、測定値が基準値を超える項目を特定する（Ｓ２０３）。
当該処理は、例えば、測定値と基準値とを対応する各項目ごとに対比し、その結果、検査箇所「食器」について、「ブドウ球菌」の生菌のコロニー数の項目の基準値が５００であるにもかかわらず、測定値が、それを超える６００であった場合には、「ブドウ球菌」の項目が基準値を超えていると特定される。
【００３７】
そして、検索処理部８４は、衛生情報記憶部８１を参照して、上記特定した項目をキーワードとして含む問題を検索し、検索の結果発見した問題を、当該問題の問題ＩＤと共に抽出する（Ｓ２０４）。
当該検索処理は、例えば、テキストデータ等として記憶されている全問題について、形態素解析を行うことによって、上記の通り特定された項目である「ブドウ球菌」なる語句をキーワードとして含む問題を検索し、当該検索の結果発見した問題を衛生情報記憶部８１から抽出する。
【００３８】
通信処理部８５は、ユーザ情報記憶部１６を参照して、上記測定装置３から受信した所属施設ＩＤと関連付けて記憶されているユーザのユーザ端末２に対して、試験を実施する旨の通知を送信する（Ｓ２０５）。そして、ユーザ端末２から、試験問題の送信要求が送信され（Ｓ２０６）、当該送信要求を受信すると、上記抽出された問題を一問ずつ送信する（Ｓ２０７）。
なお、問題の送信においては、問題と共に、当該問題の問題ＩＤ及びユーザＩＤを同時に送信する。
【００３９】
ユーザ端末２は、情報配信装置１から問題と、当該問題の問題ＩＤを受信すると、当該問題に解く。（Ｓ２０８）。ここで、ユーザ端末２の出力部２２によりディスプレイ等に表示される画面の一例は、図１０に示すように、問題１０１、問題に対する選択肢１０２、次の処理への移行を要求する「次へ」ボタン１０３からなる。ユーザは、問題１０１を読み、自らが正解であると思った選択肢１０２の所定のチェック欄にチェックを入れ、「次へ」ボタン１０３を押下する。当該操作により、通信処理部２３は、問題に対する回答と、問題ＩＤ及びユーザＩＤを情報配信装置１に対して送信する（Ｓ２０９）。
【００４０】
これに応じて、通信処理部８５は、最初の問題を送信したのと同様の処理により、次の問題と、当該問題に係る問題ＩＤとをユーザ端末２に対して送信する（Ｓ２１０）。
通信処理部８５は、検索処理部８４により抽出された全ての問題について、ユーザ端末２に対して送信し、その回答をユーザ端末２から受信する処理を行う。
【００４１】
ユーザ端末２が、最後の問題の回答と、当該問題に係る問題ＩＤとを情報配信装置１に対して送信すると（Ｓ２１１）、通信処理部８５により、当該問題と問題ＩＤとを受信した後、照合処理部８７により、受信した回答を、衛生情報記憶部８１に記憶されている解答と照合し、その正否を判定する（Ｓ２１２）。
当該処理は、回答ごとに、当該回答と共に受信した問題ＩＤに基づき、衛生情報記憶部８１に記憶されている当該問題ＩＤに係る解答とを対比することにより行われる。
【００４２】
全ての回答について、その正否を照合し終えると、当該正否と、問題ごとの解答及び解説、さらには問題が属する分類ごとの正解率をグラフ化したデータからなる、ユーザの成績情報がユーザ端末２に対して送信される（Ｓ２１３）。
ユーザ端末２が受信する成績情報は、例えば図１１に示すように、問題を実施した実施日１１１、解答したユーザ名１１２、問題を解くのに要した所要時間１１３、出題された問題ごとの正否、解答、及び解説からなる成績表１１４、問題の分類ごとの正解率を示したグラフ１１５からなる。
【００４３】
これにより、ユーザに対し、当該ユーザが従事等する施設における衛生状態に応じた衛生情報を問題として配信することができ、ユーザは能動的に当該問題を解くため、衛生に対する意識や知識をより高めることができる。
【００４４】
なお、本例においては、ユーザが従事等する施設における衛生状態についての情報は、情報配信装置が測定装置から受信するものとしたが、実際に施設に赴いて衛生調査を行った調査員等が、情報配信装置に対して当該調査結果を送信、ないしは直接入力等してもよい。
【００４５】
また、上記実施例において、問題ごとに難易度を示すランクを設定すると共に、ユーザに対して当該ランクを設定し、問題を抽出する際に、ユーザのランクと同じランクの問題を抽出するようにしてもよい。
これにより、例えば、飲食店等のアルバイト店員については簡単な問題を出題し、店舗責任者には難解な問題を出題するようにすることができ、ユーザのレベルに応じて理解を深めさせることができる。
【図面の簡単な説明】
【００４６】
【図１】本発明の実施の形態に係る機能ブロックの一例を示した図である。
【図２】本発明の実施の形態に係る衛生情報記憶部に記憶されるデータの一例を示した図である。
【図３】本発明の実施の形態に係る基準値記憶部に記憶されるデータの一例を示した図である。
【図４】本発明の実施の形態に係る測定装置により測定される測定値の一例を示した図である。
【図５】本発明の実施の形態に係るユーザ情報記憶部に記憶されるデータの一例を示した図である。
【図６】本発明の実施の形態に係るシステムの処理の流れを示したシーケンス図である。
【図７】本発明の別の実施の形態に係る機能ブロックの一例を示した図である。
【図８】本発明の実施の形態に係る衛生情報記憶部に記憶されるデータの一例を示した図である。
【図９】本発明の実施の形態に係るシステムの処理の流れを示したシーケンス図である。
【図１０】本発明の実施の形態において、ユーザ端末に表示される出題画面の一例を示した図である。
【図１１】本発明の実施の形態において、ユーザ端末に表示される試験結果の一例を示した図である。
【符号の説明】
【００４７】
１・・・情報配信装置、２・・・ユーザ端末、３・・・測定装置、８・・・情報配信装置、１１・・・衛生情報記憶部、１２・・・基準値記憶部、１３・・・項目特定処理部、１４・・・検索処理部、１５・・・通信処理部、１６・・・ユーザ情報記憶部、２１・・・入力部、２２・・・出力部、２３・・・通信処理部、３１・・・測定部、３２・・・通信処理部、８１・・・衛生情報記憶部、８２・・・基準値記憶部、８３・・・項目特定処理部、８４・・・検索処理部、８５・・・通信処理部、８６・・・ユーザ情報記憶部、８７・・・照合処理部
【図１】
2008059508.tif 000003
【図２】
2008059508.tif 000004
【図３】
2008059508.tif 000005
【図４】
2008059508.tif 000006
【図５】
2008059508.tif 000007
【図６】
2008059508.tif 000008
【図７】
2008059508.tif 000009
【図８】
2008059508.tif 000010
【図９】
2008059508.tif 000011
【図１０】
2008059508.tif 000012
【図１１】
2008059508.tif 000013